(57)【要約】【課題】眼前に支点となる一定の横長さの棒状線を設けることで、プレー中ライン上に目視可能な投影線を得る。【解決手段】メガネ１２ａのレンズ１６ａと耳掛け１３の接続部となる端部１４に介設して、レンズ１６ａ前方のレンズ横幅間に、目線上で直線形状となる細い棒状の横支点材２ａを一定位置に保持可能な構成で設け、その横支点材を上方に回転収納自在とし使い勝手の向上を図る。【選択図】  図１
2007014436.tif 000002
【特許請求の範囲】
【請求項１】
ゴルフのプレーにおいて、アドレス及びスイング時の目線上で横方向に細い棒状直線形状となる任意の横長さの帯状線で、その帯状線の方向は左右の目を横方向に結ぶ方向と同一となる眼前の任意の位置に設け、前記帯状線を支点にした投影線１０（図16、図17参照）をグリーンなどのグランド面上に投影し、その投影線の方向によりボールの打ち出し方向となるライン方向の確認と、両目を結ぶ方向とラインとの平行度をアドレス及びスイング中に検知可能にする作用と手段とからなることを特徴とする、目線方向検知装置。（図１〜図１２に参照）
【請求項２】
前記眼前に保持される帯状線は一定の細い棒状材からなる横支点材２ａ、２ｂ（図３、図５参照）で、その横支点材の両端に略直角方向に連設する一定の長さの支持材３ａ、３ｂ（図３、図５参照）を有する変形コの字状の検知装置本体１ａ、１ｂ（図３、図５参照）で、少なくとも鼻と両耳に支持されるメガネ状のフレームに、前記支持材先端部が介設して取り付けられた構成からなることを特徴とする、請求項１記載の目線方向検知装置。
【請求項３】
前記横支点材２ａと支持材３ａからなる変形コの字状の検知装置本体１ａは、一対のレンズ１６ａを有するメガネ１２ａに取り付けられ、そのレンズ前方でレンズ１６ａと一定の平行間隔位置に保持された横支点材２ａは、レンズ前方から水平状態に少なくともレンズ上方の手前側に円弧回転自在になる構成で形成されたことを特徴とする、請求項２記載の目線方向検知装置。（図１参照）
【請求項４】
前記眼前に保持される帯状線は、１対のレンズを有するメガネ１２ｂの各レンズの横方向に目線上の支点となる細い帯状の横支点線２ｃを設け、そのレンズに設ける横支点線２ｃの高さ位置は、レンズ面に対する目線方向が略直角となる目線上に配置されたことを特徴とする、請求項１記載の目線方向検知装置（図６参照）
【請求項５】
１対のレンズを有するサングラスにおいて、そのサングラスの各レンズには任意の形状の透明部が設けられ、該レンズの広さ内の透明部の高さ位置は、レンズ面に対する目線方向が略直角となる目線上に配置し、前記透明部の広さ内を通る目線先に一定の大きさと形状の自然の明るさの光り部を設けるサングラス構成にしたことを特徴とする、目線方向検知装置。（図７、図９参照）
【請求項６】
前記サングラスに設けられる透明部はサングラスのレンズを貫通する貫通孔構造になったことを特徴とする、請求項５記載の目線方向検知装置。（図７〜図９参照）
【請求項７】
前記サングラス１５ａのレンズ１６ｃに設けられる透明部の形状は、各レンズの横方向に細い帯状の透明線２ｄ構成になったことを特徴とする、請求項５又は６のいずれか１項に記載の目線方向検知装置。（図７参照）
【請求項８】
前記サングラス１５ｂのレンズ１６ｄに設けられる透明部の形状は、各レンズの略中央部に任意の広さの円形状の形状からなる透明スポットマーク２ｅ構成になったことを特徴とする、請求項５又は６のいずれか１項に記載の目線方向検知装置。（図９参照）
【発明の詳細な説明】
【技術分野】
【０００１】
本発明は、ゴルフの主にパターのアドレス及びスイング時におけるボール及びライン（ボール打ち出し方向）に対する目線の向き及び目線（すなわち頭）の動き具合を検知する目線方向検知装置に関するものである。
【背景技術】
【０００２】
アドレス及びスィング時において、ライン方向に正確にボールを打ち出す方策では、左右の目及び両肩を結ぶ線方向はライン方向と平行（顔の向きがライン直角）となる様にするのが一般的とされているが、ボール位置と目との間には一定の高さの距離があるためライン方向に合せるには、練習などによって習得する勘に委ねる方法であった。
【０００３】
そして、左右の目のどちらでボールに焦点を合せるか、すなわち利き目をどちらにするかはほとんど検知が困難であった。
【０００４】
よって、ボールやライン方向に対する両目を結ぶ目線方向を検知するには、練習などにおいて鏡を用いたり他の人からチェックを受けるなど、アドレスやスィング時に常時目線の方向や動き具合を正確にチェックするのが困難であった。
【０００５】
したがって、ボールやライン方向に対する左右の目を結ぶ線方向を正確に把握することなく漠然としたプレー方法であった。
【発明の開示】
【発明が解決しようとする課題】
【０００６】
解決しようとする問題点は、ストロークの邪魔になることなく常時左右の目線を結んだ目線方向（顔の向き）を把握及びボールに対しどちらを利き目としているかを目視確認（検知）できない点である。
【課題を解決するための手段】
【０００７】
本発明は、ボール近くのライン方向と左右の目を結んだ線方向との平行度（顔の向きとラインとの直角度）をプレーに支障なく常に目視可能とするため、図１〜図５で示すように左右の目の近くの眼前に横方向に一定の横長さで目線上で一定の細い直線状となる横支点材を設け、（たとえば図５の一方方向に曲線構成であっても目線上では直線状となる）その棒状の横支店材を目線上の支点にした目線先のボールやグリーン面上などでは、一定の確認可能な棒状の投影線又は薄い陰状の投影線が表示されることを最も主要な特徴とする検知装置である。（図１〜図５、図１０、図１１参照）
【０００８】
そして、投影線の濃淡は、横支点材の線径の太さが一定の大きい太さで又色彩を明るく更に目の位置から離す程、投影線は横支点材の形状を鮮明に表し、反対に線径を小さく色彩も暗めにし更に目に近ずける程投影線は陰状に薄くなる。
【０００９】
前記、横支点材はメガネのレンズ前方の任意の位置に保持される構成で、レンズ両端の取り付け部を支点にメガネのレンズと一定の平行間隔を保ちながら上下方向に円弧回転自在に設けられている。（図１〜図５参照）
【００１０】
また、投影線の別の表示の仕方では、メガネの左右のレンズに一定の細い線の太さと横長の横支点線を設けて目線方向検知装置を形成している。この場合横支点線は一定の目に近い位置に保持されるため焦点が合いづらく投影線は薄い陰状の線となる。
（図６、図１０、図１１参照）
【００１１】
また、投影線に替えて別の表示の仕方では、少なくとも２つの透明度を有する２色（無色も含む）構成のサングラスで、２色の内一方の透明度の高い方を用いて左右のレンズに一定の横長さと線の太さで透明な透明線を設けると、そのサングラスを使用して見るボール及びグリーン面上には、透明線内を通った目線先に自然の明るさの光り線が表示される目線方向検知装置構成である。（図７、図８、図１０、図１３参照）
【００１２】
また、別の構成の光り線の表示の仕方では、前記サングラスに設けられる透明線はレンズを貫通した貫通線構成の透明線となって前記光り線と同じ明るい光り線が得られるものとなっている。
（図７、図８、図１０、図１３参照）
【００１３】
また、サングラスのレンズには前記横長の横線マークに替えて左右のレンズには左右の目の間隔と略同じ横間隔で円形状の透明スポットマークが設けられ、アドレス時そのサングラスを通して見るボール及びグリーン面上には、透明スポットマークの透視マークとなる１対の自然光の明るい光りマークが表示される。（図９、図１４参照）
【００１４】
そして、前記サングラスのマークの少なくともマーク廻り部の透明度が低い（色が濃い）程光り線及び光りマークは明るく鮮明なものとなる。
【発明の効果】
【００１５】
本発明のゴルフにおける目線方向検知装置は、目線上で直線状となる横線を一定の目の近さに保持すると、マークに対し焦点が定まりにくくぼやけたものとなり、ボール近く又はラインに重ねた状態でもほとんどスィングの邪魔になりにくい薄さの陰状の投影線となる。よって、投影線と平行となる左右の目線を結んだ方向（顔の向きがライン直角）がアドレスやスィング中に視認（確認）が容易となり、左右の目線を結んだ方向と平行にボールの打の打ち出し方向を確実に把握することを可能としている。
（図１０、図１１参照）
【００１６】
そして、投影線は頭を動かして目線方向を変えることにより容易に移動ができる。たとえばライン上からライン前方に移動させる場合頭を少し起して行う。よって、プレーヤーの好みによりライン方向を示す投影線の位置を選ぶことが可能となり、プレーをよりやさしく左右の目線とラインの平行方向の習得に役立つものとなる。（図１２参照）
【００１７】
又、投影線が薄すぎて見えずらい場合は頭を前後に振ると投影線が動き確認しやすいものとなる。
【００１８】
又、図６で示す透明性の高いレンズに不透明な細い帯状の横支点線を設けたものにあっては、横支点線と目との間隔が一定の狭い間隔である為、その横支点線に対し目線の焦点が合いにくいため投影線は極めて薄い陰状の投影線となり、プレーの妨げにならない利点と、メガネ本来の使用時においても目ざわりとなる不都合が小さなものとなる構成である。
【００１９】
又、図７、図８で示すサングラスなどの着色レンズに透明な帯状の透明線を設けたものにあっては、図１３で示すようにライン上に透明線内を通る光り線（投視線）を配置すると、ライン方向をはっきりと確認しながらほとんどプレーの邪魔にならない。そして、本サングラスはサングラスとして紫外線対策にも一定の効果を有するものである。なお、前記光り線を鮮明にするためには、片方の目を閉じるともう一方の目とその前方の透明線との焦点が定まりやすくなり鮮明な光り線が得られる。したがって、アドレス時に交互に目を開け閉して光り線の方向（左右の目を結ぶ方向）をはっきりと把握することとなる。
【００２０】
また、図９で示すサングラスなどの着色レンズの略中央部には、左右の目線の中心となる横幅間隔と高さ位置に一定の大きさの透明部からなる透明スポットマークを設けたものにあっては、これの使用時には図１４で示す透明スポットマーク内を通る目線先には、ややぼんやりとした光りマーク（投視マーク）が一対形成され、そのぼんやりとした光りマークを目線上で鮮明にするため両目内一方の目を閉じるともう一方側の目の焦点が定まりやすくなり光りマークがはっきりとしてくる。したがって両目を交互に閉じたり開けたりして一対の光りマークの並び方でライン方向を把握する。
【００２１】
また、ボールに対する利き目（両目の内どちらの目でボールに焦点を合せているか）を知る為に、たとえば右目を閉じた時の左目の目線先の光り線又は光マークが図１３又は図１４で示す様にボール上にある場合その左目がボールに対し利き目となっている。よって、容易に利き目を把握することができる構成である。
【発明を実施するための最良の形態】
【００２２】
眼前近くに目線上の支点となる横方向に一定の細さの棒状線を設けて、ゴルフのプレーで最も望まれるライン方向を示す線をプレーに支障のない構成で実現した。
【実施例１】
【００２３】
図１〜図４は、本発明の１実施例を示し、図１は斜視図であり、図２は正面図を示し、図３は平面図を示し、図４は右側面図である。メガネ１２ａのレンズ１６ａと耳掛け１３の接続する端部１４に取り付けられる支持材３ａと、その支持材３ａに連設して形成されるメガネ横幅間でグランド面に投影線を形成するための目線上の支点となる細い直線棒状の横支点材２ａから成る構成の検知装置本体１ａがレンズ１６ａ前方に保持され、そのレンズ前方から前記横支点材２ａは前記端部１４を支点に前記支持材３ａの長さの円弧大きさで、上方で収納状態となる円弧回転自在の構成となったメガネ構造の目線方向検知装置Ａ１である。
【実施例２】
【００２４】
図５は、図３の別の実施例を示し、メガネ１２ａの左右のレンズ１６ａの端部１４に支持材３ｂが介設して設けられる横支点材２ｂの平面形状は横長さ間で円弧形状となった検知装置本体１ｂ構成で、前記円弧形状の横支点材は目線上では直線形状となる目線方向検知装置Ａ２である。
【実施例３】
【００２５】
図６は、メガネ１２ｂの左右の透明なレンズ１６ｂには、各レンズの横幅間にグランド面上に投影線を形成するための目線上の支点となる不透明な細い帯状の横支点線２ｃが設けられたメガネ構造の目線方向検知装置Ａ３である。
【実施例４】
【００２６】
図７図８は、本発明の別の１実施例を示し図７は正面図を示し図８は断面図である。サングラス１５ａの左右のレンズ１６ｃ内には、横方向に細い帯状で一定の長さの透明線２ｄが設けられ、そのマークは図８の断面図で示す様にレンズを貫通した開口穴により形成され、その開口穴を通る目線先のグランド面に自然の明るさの光り線（投視線）を標示する構成にしたサングラス構造の目線方向検知装置Ａ４である。
【実施例５】
【００２７】
図９は、図７の変形例でサングラス１５ｂの左右のレンズ１６ｄには、左右の目の横間隔と略同じ間隔位置にレンズ１６ｄを貫通してなる任意の大きさの円形の透明スポットマーク２ｅが設けられ、その透明スポットマーク２ｅを通る目線先のグランド面に自然の明るさの光りマークが標示される構成になったサングラス構造の目線方向検知装置Ａ５である。
【実施例６】
【００２８】
図１０、図１１は、本発明の目線方向検知装置Ａ１とパター２０を用いての１実施の使用例を示す側面図と一部平面図であって、眼前に保持されている横支点材２ａを支点にした目線１７先となるボール２１とライン２２上には、棒状の横支点材２ａの陰状の投影線１０が形成され左右の目を結ぶ線方向とライン２２方向が平行（顔の向きがライン直角）となる状態を示している。
【実施例７】
【００２９】
図１２は、図１１の変形例でライン２２と平行にライン前方に投影線１０が配置されている。（図１０の頭を少し起すことにより投影線を移動できる）
【実施例８】
【００３０】
図１３は、図７の目線方向検知装置Ａ４を用いた使用例の一部平面図であって、ライン２２上には自然の明るさの光り線１１ａが形成されて顔の向きがライン直角になっていることを示している。
【実施例９】
【００３１】
図１４は、図９の目線方向検知装置Ａ５を用いた図１３の変形例の一部平面図であって、パター２０のアドレス時において、左右のレンズに設けられている透明スポットマーク内を通った目線先のライン２２上には、透明スポットマーク形状の２つの自然の明るさの光りマーク１１ｂが形成され、その2つの光りマークを結んだ方向でラインを示し、本図では左右の目の内左目でボール２１に焦点を合わせている。（左目を利き目としている）
【産業上の利用可能性】
【００３２】
サングラスのレンズに一定の広さの透明部を設けるとその透明部を通して見る目線方向に一定の範囲の自然の明るい視界を得ることとなり、紫外線の防止やプライバシーの保護などのサングラスの効果を季節や昼夜を問わずに使用可能とする用途の拡大を実現する。そして、レンズの透明部は一定の大きさ内で目に近い程自然の視界を大きくする。更に、常時目線方向を把握できるので歩行中など背すじを延した正しい姿勢を心掛けることができる効果も考えられる。（すなわち顔を起し、背すじを延した状態で目線が真正面を向くサングラスの構成にしておくと最も姿勢の検知が容易なものとなる。）
【００３３】
また、帽子やサンバイザーなどのひさしに鏡が設けられると、女性など顔の身だしなみを整える用途又は歩行中など後方の状態の確認のバックミラーとしての使い方ができる効果も生ずる。
【図面の簡単な説明】
【００３４】
【図１】本発明の一部可動想像線を含む斜視図である。
【図２】本発明の正面図である。
【図３】図２の×１―×１線による矢視図である。
【図４】図２の×２―×２線による矢視図である。
【図５】図３の変形例を示す図である。
【図６】本発明の別の実施例を示す斜視図である。
【図７】本発明の別の実施例を示す正面図である。
【図８】図７の×３―×３線による矢視図である。
【図９】本発明の別の実施例を示す正面図である。
【図１０】本発明の使用例を示す側面図である。
【図１１】図１０の×４―×４線による矢視図である。
【図１２】図１１の変形例を示す図である。
【図１３】図１２の変形例を示す図である。
【図１４】図１３の変形例を示す図である。
【符号の説明】
【００３５】
Ａ１  ：目線方向検知装置   Ａ２  ：目線方向検知装置
Ａ３  ：目線方向検知装置   Ａ４  ：目線方向検知装置
Ａ５  ：目線方向検知装置                      
１ａ  ：検知装置本体       １ｂ  ：検知装置本体
２ａ  ：横支点材                                  ２ｂ  ：横支点材
２ｃ  ：横支点線                                  ２ｄ  ：透明線
２ｅ  ：透明スポットマーク                      ３ａ  ：支持材
３ｂ  ：支持材                                    １０  ：投影線
１１ａ：光り線                                      １１ｂ：光りマーク
１２ａ：メガネ                                      １２ｂ：メガネ
１３  ：耳掛け                                    １４  ：端部
１５ａ：サングラス                                １５ｂ：サングラス
１６ａ：レンズ                                      １６ｂ：レンズ
１６ｃ：レンズ                                      １６ｄ：レンズ
１７  ：目線                                        ２０：パター
２１  ：ボール                                    ２２  ：ライン
【図１】
2007014436.tif 000003
【図２】
2007014436.tif 000004
【図３】
2007014436.tif 000005
【図４】
2007014436.tif 000006
【図５】
2007014436.tif 000007
【図６】
2007014436.tif 000008
【図７】
2007014436.tif 000009
【図８】
2007014436.tif 000010
【図９】
2007014436.tif 000011
【図１０】
2007014436.tif 000012
【図１１】
2007014436.tif 000013
【図１２】
2007014436.tif 000014
【図１３】
2007014436.tif 000015
【図１４】
2007014436.tif 000016